(57)【特許請求の範囲】
【請求項１】
映像音声に関する複数の単位データからなる主データと該単位データのそれぞれに付与された属性情報データを含む副データとを有するコンテンツデータを復調し、該主データと該副データとを出力するデコード部と、
該デコード部から出力された該主データと該副データとを蓄積する蓄積部と、
該蓄積部に蓄積された該副データと、健康に関する生体情報データとのそれぞれに関連づけられ、連動動作を指示する指示信号を出力する連動部と、
該連動部が出力する該指示信号に基づいて該蓄積部に蓄積された該副データを編集するとともに、該主データを再生した再生データを出力するデータ編集・出力部とをそなえて構成された
ことを特徴とする、ホームサーバー装置。
【請求項２】
番組における各場面に対応する複数の単位映像音声データからなる映像音声データと、少なくとも該単位映像音声データのそれぞれに付与された番組属性情報データを含む補助データとを有する番組データを復調し、該映像音声データと該補助データとを出力するデコード部と、
該デコード部から出力された該映像音声データと該補助データとを蓄積する蓄積部と、
該蓄積部に蓄積された該補助データと健康に関する生体情報データとのそれぞれに関連づけられ連動動作を指示する指示信号を出力する連動部と、
該連動部が出力する該指示信号に基づいて該蓄積部に蓄積された該補助データを編集するとともに、該映像音声データを再生した再生データを出力するデータ編集・出力部とをそなえて構成された
ことを特徴とする、ホームサーバー装置。
【請求項３】
該データ編集・出力部から出力された該再生データを再生する再生部をそなえて構成された
ことを特徴とする、請求項１または請求項２記載のホームサーバー装置。
【請求項４】
該番組が健康に関する番組であり、
該デコード部が、該番組における各場面に対応し少なくとも場面名，時間，単位場面の繰り返し回数および身体の負荷に関する健康データを、該補助データとして出力するように構成された
ことを特徴とする、請求項２記載のホームサーバー装置。
【請求項５】
該連動部が、
少なくとも体調および生体リズムに関する情報を、該指示信号として出力するように構成された
ことを特徴とする、請求項４記載のホームサーバー装置。
【請求項６】
該連動部が、
該生体情報データに基づいて、生体状態に関する生体状態データを出力する生体状態出力部と、
該生体状態データと該健康データとを比較し、該指示信号を出力する指示出力部とをそなえて構成された
ことを特徴とする、請求項４記載のホームサーバー装置。
【請求項７】
該生体状態出力部が、
該生体情報データと該生体状態データとを関連づけて蓄積する第１テーブルからなる
ことを特徴とする、請求項６記載のホームサーバー装置。
【請求項８】
該指示出力部が、
該生体状態データと該健康データとを比較して比較結果を出力する比較部と、
該比較結果に基づいて、該各場面における所要時間の短縮，延長および削除，内容の変更に関する増減値を、該指示信号として蓄積する第２テーブルとをそなえて構成された
ことを特徴とする、請求項７記載のホームサーバー装置。
【請求項９】
該連動部が、
複数の生体情報データを入力されるように構成された
ことを特徴とする、請求項２記載のホームサーバー装置。
【請求項１０】
該デコード部が、
該番組データを、所定方式を用いた無線信号から得るように構成された
ことを特徴とする、請求項２記載のホームサーバー装置。
【請求項１１】
該デコード部が、
該番組データを、有線方式または情報データが記録された記録媒体のうちの少なくとも一方から得るように構成された
ことを特徴とする、請求項２記載のホームサーバー装置。
【請求項１２】
映像音声に関する複数の単位データからなる主データを送信する期間と、該単位データのそれぞれに付与された属性情報データを含む副データを送信する期間とを有する映像音声データの編集方法であって、
映像音声に関する複数の単位データからなる主データと該単位データのそれぞれに付与された属性情報データを含む副データとを有するコンテンツデータを復調し、該主データと該副データとを出力するデコードステップと、
該デコードステップにて出力された該主データと該副データとをデータ蓄積用の蓄積部に蓄積する蓄積ステップと、
該蓄積部に蓄積された該副データと、健康に関する生体情報データとのそれぞれに関連づけられ、連動動作を指示する指示信号を出力する連動動作ステップと、
該連動動作ステップにて出力された該指示信号に基づいて該蓄積部に蓄積された該副データを編集する副データ編集ステップと、
該連動動作ステップにて出力される該指示信号に基づいて該蓄積部に蓄積された該主データを再生した再生データを出力するデータ編集・出力ステップと、
該データ編集出力ステップにて出力された該再生データを再生する再生ステップとをそなえて構成された
ことを特徴とする、映像音声データの編集方法。
【請求項１３】
番組における各場面に対応する複数の単位映像音声データからなる映像音声データを送信する期間と、少なくとも該単位映像音声データのそれぞれに付与された番組属性情報データを含む補助データを送信する期間とを有する映像音声データの編集方法であって、
番組における各場面に対応する単位映像音声データからなる映像音声データと、少なくとも該各場面に付与された番組属性情報データを含む補助データとを有する番組データを復調し、該映像音声データと該補助データとを出力するデコードステップと、
該デコードステップにて出力された該映像音声データと該補助データとを、データ蓄積用の蓄積部に蓄積する蓄積ステップと、
該蓄積部に蓄積された該補助データと健康に関する生体情報データとのそれぞれに関連づけられ、連動動作を指示する指示信号を出力する連動動作ステップと、
該連動動作ステップにて出力された該指示信号に基づいて該蓄積部に蓄積された該補助データを編集する補助データ編集ステップと、
該連動動作ステップにて出力された該指示信号に基づいて該映像音声データを再生した再生データを出力する映像音声データ出力ステップと、
該映像音声データ出力ステップにて出力された該再生データを再生する再生ステップとをそなえて構成された
ことを特徴とする、映像音声データの編集方法。
【発明の詳細な説明】
【０００１】
【発明の属する技術分野】
本発明は、例えば健康に関する生体情報を解析して映像音声補助信号を編集できるホームサーバー装置に関し、特に、放送番組における各場面に対応する健康データ送受信に用いて好適な、ホームサーバー装置，映像音声データの編集方法および映像音声データの生成方法に関する。
【０００２】
【従来の技術】
近年、生活習慣病の増加が顕著になってきている。この生活習慣病は、その名に由来して、誤った生活習慣の蓄積が原因となって進行することが指摘されており、各ユーザー（個人）は、健康なときから生活改善を図り健康を維持するといった長期的な対応が大切になってきている。
【０００３】
多くの家庭には、ユーザーの健康を管理するための器具や装置がある。ユーザーは、自分の健康上のデータ（以下、健康データと称することがある。）を測定・取得し、その健康データを健康管理用の器具・装置（以下、健康管理用装置と称することがある。）に入力する。ここで、健康データとは、身長，体重，年齢，性別および医学的データのようなバイタルデータや、食事，運動および生活に関するデータのようなライフスタイルデータを意味する。
【０００４】
そして、健康管理用装置は、入力された健康データに基づいて、疾患，リスクの予測，適正な運動処方（運動メニュー）や適正な食事処方を行なうようになっている。また、バイタルデータやライフスタイルデータは、例えば心拍計や携帯できる歩数計などの生体センサーを用いて入力される。なお、この入力されたデータは、健康に関するものであり生体情報（生体情報データ）と称される。
【０００５】
各ユーザーの健康については、テレビジョン放送においても、健康に関するテレビジョン番組（以下、番組と略称することがある。）が数多く放送されており、その番組内容（番組コンテンツ）は、体操，料理または医療など、その種類はきわめて多い。各番組は、それぞれ、番組時間の長さが異なり、さらに、内容についても、表現が優しくて理解しやすいものから、高度で正確さを意図されたものまで多岐にわたっている。
【０００６】
また、近年、ケーブルテレビジョンの普及により、ＣＡＴＶ（Cable Television or Community Antenna Television System）局は、テレビジョン番組や映画作品が電子化された映像音声データ（映像音声信号）を、光ファイバを用いて各家庭に配信するサービスを提供している。
例えば、ハードディスクの技術進歩により、ハードディスクビデオレコーダが家庭の電化製品として開発されている。このハードディスクビデオレコーダとは、番組をハードディスクに記録するものである。このハードディスクビデオレコーダの利用によって、ユーザーは、従来の家庭用ＶＴＲ（Video Tape Recorder）に比較して、所望の時間に所望の番組が楽しめるようになった。また、それのみならず、ユーザーは、現在放送中の番組を録画するのと同時に並行して、録画済の番組を再生・視聴できるようになってきている。
【０００７】
さらに、ユーザーは、放送用に割り当てられた周波数帯の無線信号（以下、放送波信号と略称することがる。）に重畳されて送信された電子番組表を用いて、簡単に番組予約や自分の好みに応じた番組を検索でき、また、常時、最新のニュース番組を視聴できる。これにより、ハードディスクビデオレコーダは、単に番組を記録するものという意味において、ホームサーバー装置（ホームサーバー）とも呼ばれている。
【０００８】
このように、ユーザーは、テレビジョン番組データ（テレビジョン番組信号）のような映像音声データを、光ファイバを用いてＣＡＴＶ局，データ配信会社から得られるようにもなっている。また、ユーザーは、インターネットを介して映像音声データを得ることも可能である。
なお、日本は、テレビジョン放送方式として、ＮＴＳＣ（National Television System Committee）方式を採用している。このＮＴＳＣ方式は、よく知られているように、１画面が５２５本の走査線からなり、それらの走査線のうち、２６２．５本（第１フィールドと称される。）の走査線が６０秒分の１の間に走査され、次の６０秒分の１に残りの２６２．５本（第２フィールドと称される。）の走査線が走査されるように、第１フィールドと第２フィールドとが交互に走査されている。
【０００９】
また、ＮＴＳＣ方式は、垂直ブランキング期間（画面の左上から右下までの走査に要する時間）に、情報データが書き込まれていない期間が存在する。このため、放送局は、この垂直ブランキング期間を利用して、副次的情報を重畳している。すなわち、放送局（または中継局の送信機）はこの副次的情報をディジタルデータの補助データ（補助信号）として、番組データに多重するようになっている。
【００１０】
【発明が解決しようとする課題】
しかしながら、健康管理用装置は、各ユーザーのそれぞれに対して適正な運動処方を報知できるようにはなっていないものが多く、健康管理用装置が、その運動処方を予め用意しているものは、健康管理用装置が扱える対象は、静止画，動画，文字または音声などに限定されている。従って、健康管理用装置による表示は、変化が少なく画一的になってしまい、ユーザーが飽きやすく、また、ユーザーが長時間，長期間、その健康管理用装置を利用することは困難という課題がある。
【００１１】
さらに、ユーザーの健康に関係した放送番組は、多数、放送されているが、放送形態が一対多という特性を有する。このため、番組内容は平均的になり、各ユーザーのそれぞれが満足するようにはできない。
本発明は、このような課題に鑑み創案されたもので、関連処理，映像，音声および補助データの編集・再生を可能とし、かつ、各ユーザーの健康状態に適するような番組を再編集・再生できる、ホームサーバー装置，映像音声データの編集方法および映像音声データの生成方法を提供することを第１の目的とする。
【００１２】
加えて、本発明は、補助データの利用により、既存のテレビジョン放送のシステムフォーマットを何ら変更せずに、各ユーザーの健康状態に適した番組を提供することができるホームサーバー装置，映像音声データの編集方法および映像音声データの生成方法を提供することを第２の目的とする。
【００１３】
【課題を解決するための手段】
このため、本発明のホームサーバー装置は、映像音声に関する複数の単位データからなる主データと単位データのそれぞれに付与された属性情報データを含む副データとを有するコンテンツデータを復調し、主データと副データとを出力するデコード部と、デコード部から出力された主データと副データとを蓄積する蓄積部と、蓄積部に蓄積された副データと、健康に関する生体情報データとのそれぞれに関連づけられ、連動動作を指示する指示信号を出力する連動部と、連動部が出力する指示信号に基づいて蓄積部に蓄積された副データを編集するとともに、主データを再生した再生データを出力するデータ編集・出力部とをそなえて構成されたことを特徴としている（請求項１）。
【００１４】
また、本発明のホームサーバー装置は、番組における各場面に対応する複数の単位映像音声データからなる映像音声データと、少なくとも単位映像音声データのそれぞれに付与された番組属性情報データを含む補助データとを有する番組データを復調し、映像音声データと補助データとを出力するデコード部と、デコード部から出力された映像音声データと補助データとを蓄積する蓄積部と、蓄積部に蓄積された補助データと健康に関する生体情報データとのそれぞれに関連づけられ連動動作を指示する指示信号を出力する連動部と、連動部が出力する指示信号に基づいて蓄積部に蓄積された補助データを編集するとともに、映像音声データを再生した再生データを出力するデータ編集・出力部とをそなえて構成されたことを特徴としている（請求項２）。
【００１５】
さらに、データ編集・出力部から出力された再生データを再生する再生部をそなえて構成されてもよく（請求項３）、前記番組が健康に関する番組であり、デコード部が、番組における各場面に対応し少なくとも場面名，時間，単位場面の繰り返し回数および身体の負荷に関する健康データを、補助データとして出力するように構成することもできる（請求項４）。
【００１６】
そして、前記連動部は、少なくとも体調および生体リズムに関する情報を、指示信号として出力するように構成されてもよく（請求項５）、生体情報データに基づいて、生体状態に関する生体状態データを出力する生体状態出力部と、生体状態データと健康データとを比較し、指示信号を出力する指示出力部とをそなえて構成することもできる（請求項６）。
【００１７】
加えて、前記生体状態出力部は、生体情報データと生体状態データとを関連づけて蓄積する第１テーブルからなるようにしてもよい（請求項７）。
また、前記指示出力部は、生体状態データと健康データとを比較して比較結果を出力する比較部と、比較結果に基づいて、各場面における所要時間の短縮，延長および削除，内容の変更に関する増減値を、指示信号として蓄積する第２テーブルとをそなえて構成されてもよい（請求項８）。
【００１８】
さらに、前記連動部は、複数の生体情報データを入力されるように構成することもできる（請求項９）。
そして、前記デコード部は、番組データを、所定方式を用いた無線信号から得るように構成されてもよく（請求項１０）、番組データを、有線方式または情報データが記録された記録媒体のうちの少なくとも一方から得るように構成されてもよい（請求項１１）。
【００１９】
加えて、本発明の映像音声データの編集方法は、映像音声に関する複数の単位データからなる主データを送信する期間と、単位データのそれぞれに付与された属性情報データを含む副データを送信する期間とを有する映像音声データの編集方法であって、映像音声に関する複数の単位データからなる主データと単位データのそれぞれに付与された属性情報データを含む副データとを有するコンテンツデータを復調し、主データと副データとを出力するデコードステップと、デコードステップにて出力された主データと副データとをデータ蓄積用の蓄積部に蓄積する蓄積ステップと、蓄積部に蓄積された副データと、健康に関する生体情報データとのそれぞれに関連づけられ、連動動作を指示する指示信号を出力する連動動作ステップと、連動動作ステップにて出力された指示信号に基づいて蓄積部に蓄積された副データを編集する副データ編集ステップと、連動動作ステップにて出力される指示信号に基づいて蓄積部に蓄積された主データを再生した再生データを出力するデータ編集・出力ステップと、データ編集出力ステップにて出力された再生データを再生する再生ステップとをそなえて構成されたことを特徴としている（請求項１２）。
【００２０】
また、本発明の映像音声データの編集方法は、番組における各場面に対応する複数の単位映像音声データからなる映像音声データを送信する期間と、少なくとも単位映像音声データのそれぞれに付与された番組属性情報データを含む補助データを送信する期間とを有する映像音声データの編集方法であって、番組における各場面に対応する単位映像音声データからなる映像音声データと、少なくとも各場面に付与された番組属性情報データを含む補助データとを有する番組データを復調し、映像音声データと補助データとを出力するデコードステップと、デコードステップにて出力された映像音声データと補助データとを、データ蓄積用の蓄積部に蓄積する蓄積ステップと、蓄積部に蓄積された補助データと健康に関する生体情報データとのそれぞれに関連づけられ、連動動作を指示する指示信号を出力する連動動作ステップと、連動動作ステップにて出力された指示信号に基づいて蓄積部に蓄積された補助データを編集する補助データ編集ステップと、連動動作ステップにて出力された指示信号に基づいて映像音声データを再生した再生データを出力する映像音声データ出力ステップと、映像音声データ出力ステップにて出力された再生データを再生する再生ステップとをそなえて構成されたことを特徴としている（請求項１３）。
【００２３】
【発明の実施の形態】
以下、図面を参照して本発明の実施の形態を説明する。
（Ａ）本発明の一実施形態の説明
図１は本発明の一実施形態に係る放送・配信システムの構成図である。この図１に示す放送・配信システム（以下、システムと略称することがある。）２４は、テレビジョン番組や文字放送番組などの放送番組（以下、番組と称することがある。）を、放送波信号，ケーブル配信またはインターネット配信を用いて放送・配信するとともに、生体リズム情報に基づいてユーザー向けに番組を変更できるものである。ここで、生体リズム情報とは、腰痛、胃痛などの体調、脈拍などの生体に関する情報である。すなわち、このシステム２４によって、ユーザーが、ユーザーの体調に応じて、放送・配信された番組の内容を変更できるようになっている。
【００２４】
ここで、システム２４は、受信装置２５をそなえるほかに、放送チャネル３０，３１と、配信チャネル３２，３３とをそなえて構成されている。放送チャネル３０は、衛星チャネルであって、放送局２０ａ，ＢＳ（Broadcast Satellite）２１ａおよびアンテナ１１１ａからなり、放送チャネル３１は、地上波チャネルであって、放送局２０ｂ，電波塔２１ｂおよびアンテナ１１１ｂからなる。また、配信チャネル３２は、ケーブルテレビジョンによるチャネルであって、ＣＡＴＶ局２０ｃ，光ファイバ２１ｃからなり、配信チャネル３３は、インターネット網を介したチャネルであって、データ配信会社２０ｄ，インターネット網２６ｂ，電話網２６ａからなる。そして、これらの４種類の放送チャネルおよび配信チャネルが、それぞれ、受信装置２５に接続されるようになっている。
【００２５】
まず、放送局２０ａは、衛星波の放送局であり、数ギガヘルツ帯の周波数を用いて番組データ（番組データ信号）をＢＳ２１ａに送信するものである。また、このＢＳ２１ａは放送局２０ａから送信された番組データを地上に向けて送信する放送衛星である。なお、このＢＳ２１ａの機能は、通信衛星（ＣＳ：Communication Satellite）を用いても実現できる。さらに、アンテナ１１１ａは受信アンテナである。これにより、例えば体操番組の撮影データ（撮影データ信号）は放送波信号に変換されて放送局２０ａからＢＳ２１ａを介して受信装置２５に送信される。
【００２６】
また、放送局２０ｂは、地上波の放送局であり、ＶＨＦ（Very High Frequency）帯やＵＨＦ（Ultra High Frequency）帯の周波数を用いて番組データを電波塔２１ｂに送信するものである。また、この電波塔２１ｂは放送局２０ｂから送信された番組データを地上波により送信する送出局または中継局である。さらに、アンテナ１１１ｂは受信アンテナである。これにより、例えばゴルフレッスン番組の撮影データは放送波信号に変換され、放送局２０ｂから電波塔２１ｂを介して受信装置２５に送信される。
【００２７】
この地上波方式においては、ディジタルデータとして、文字などの副次的情報が、その垂直ブランキング期間における第２１番目の水平区間に重畳されて、テレビジョンデータ（テレビジョン信号）が伝送されるようになっている。具体的には、後述するように、第２フィールド（１画面を走査するときの後半に走査される部分）の垂直ブランキング期間における第２１番目の水平区間の一部に、副次的情報が重畳されるようになっている。また、この副次的情報とは、テレビジョンデータに付随した補助データであって、健康に関する生体情報を関連づけた連動動作を実行するために重畳されているものである。
【００２８】
従って、既存のテレビジョン放送におけるシステムのフォーマットを何ら変更せずに、各ユーザーの健康状態に適した番組を提供できる。
さらに、ＣＡＴＶ局２０ｃは光ファイバ２１ｃまたは同軸ケーブル（図示省略）を用いて、番組，映画作品，ビデオ作品などを送信する放送局である。これにより、例えば料理番組の撮影データは光信号に変換され光ファイバ２１ｃなどを用いて受信装置２５に送信される。
【００２９】
そして、データ配信会社２０ｄは、インターネットプロトコルにより規定されるインターネット網２６ｂ，携帯電話サービスなどを提供する電話網２６ａを介して、受信装置２５に、番組，映画作品，ビデオ作品などを配信する会社である。これにより、例えば医療番組の撮影データは、インターネットプロトコルデータおよび電話回線用信号に変換され、そして、受信装置２５に設けられて番組データを蓄積する蓄積装置２３に蓄積され、ユーザーは所望の機会に取り出して利用できる。
【００３０】
なお、以下の説明において、送信側とは、放送局２０ａ，２０ｂ，ＣＡＴＶ局２０ｃ，データ配信会社２０ｄを意味し、受信側は、サーバー１を意味する。
また、本実施形態においては、図１に示す４種類の受信チャネルをすべて設けずに、これらの受信チャネルのうちの１種類だけを設けるようにしてもよい。
次に、受信装置２５は、ユーザーが番組を受信し、番組の音声を発生させ映像を表示するものであって、ホームサーバー装置（以下、サーバーと略称することがある。）１と、生体センサー１３０と、リモコン装置１３１と、蓄積装置２３と、テレビジョン受像器２とを設け、これらのサーバー１，生体センサー１３０，リモコン装置１３１，蓄積装置２３，テレビジョン受像器２の間は、コネクタなどによって配線されている。
【００３１】
ここで、サーバー１は、ＢＳ２１ａ，電波塔２１ｂ，ＣＡＴＶ局２０ｃまたはデータ配信会社２０ｄからの番組データを受信するためのものであって、放送波信号，ケーブル信号または電話回線信号を受信して復調し、各ユーザーについて健康に関する生体情報を解析し、そして、復調した番組の内容に関する映像音声補助データ（画像音声補助データ）を、その生体情報に基づいて編集するものである。この映像音声補助データとは、静止画像および動画像などの視覚的な補助データと、人声，物音および音楽などの聴覚的な補助データとの両方を含むものである。
【００３２】
また、サーバー１は、ＢＳ２１ａからの放送波信号を受信するためのアンテナ１１１ａと、電波塔２１ｂからの放送波信号を受信するためのアンテナ１１１ｂとを有し、また、ＣＡＴＶ局２０ｃからの配信データと、インターネット２６ａからの配信データとをそれぞれ入力されるようになっている。そして、サーバー１は、入力された番組データを、ユーザー向けに加工できるようになっている。
【００３３】
加えて、生体センサー１３０は、ユーザーの生体情報を検出、測定するものである。この生体情報とは、健康に関するものであって、例えば、脈拍，心拍計または一日における歩行数などの身体に関する医学的情報である。この生体センサー１３０は、補助データ（補助信号）に含まれる、番組を構成する各場面に対応する健康データを取得する取得手段として機能している。なお、生体センサー１３０は、歩行数を計測するためには、携帯歩数計を使用することもできる。
【００３４】
さらに、リモコン装置１３１は、ユーザーの生体情報をユーザー自身の手によって入力されるものである。また、リモコン装置１３１は、生体センサー１３０とともに、生体情報を取得する取得手段として機能している。
なお、生体情報は、リモコン装置１３１，生体センサー１３０を用いて入力するほかに、他の場所において取得された生体情報を、例えばインターネット網２６ｂや電話網２６ａを介して入力することもできる。このようにすれば、遠隔的に取得された生体情報も利用できるようになる。
【００３５】
そして、蓄積装置２３は、４種類の受信チャネルに対応する番組データを蓄積するものであって、この機能は、例えばハードディスク，ＲＡＭにより実現される。また、テレビジョン受像器２は、蓄積装置２３に蓄積された番組データをサーバー１により読み込み、その番組内容を表示するものである。
これにより、放送局２０ａから送出されたテレビジョンデータを含む放送波信号は、アンテナ１１１ａにて受信され、受信された放送波信号は、チューナ１１２にてチャネルが選択され、選択されたチャネルについて、テレビジョンデータが復調される。この復調により得られたベースバンド信号は、ＮＴＳＣ方式により規定されている。
【００３６】
ＮＴＳＣ方式は、第１フィールドと第２フィールドとがそれぞれ２６２．５本の走査線によって構成され、これらの２種類のフィールドによって１フレーム（１画面）が構成されている。そして、送信側は、このフレームを１秒間に３０枚送信し、受信側（サーバー１）は、１分間に６０回トレースするようになっている。
【００３７】
また、サーバー１の画面走査方法は、最初の１／６０秒の間に奇数番目の走査線（２６２本）を、画面の最上部から最下部までトレースして最上部に戻り、そして、再度、次の１／６０秒の間に偶数番目の走査線（２６２本）を画面の最上部から最下部までトレースするようになっている。すなわち、１画面は、１／６０秒ごとに、交互にトレースされるようになっている。ここで、画面の左上から右下までの走査に要する時間は、垂直ブランキング期間（以下、ＶＢＩ［Vertical Blanking Interval］とも称される。）と呼ばれており、情報データが書き込まれていない期間を有する。
【００３８】
また、この垂直ブランキング期間を利用して、送信側は、電子番組表，文字多重信号および現在放送中の番組内容について、補助または補足するための副次的情報を送信する。すなわち、送信側に設けられた送信機（図示省略）はこの副次的情報をディジタルデータの補助データ（補助信号）として、番組データに多重するようになっている。換言すれば、その送信機は、補助データを、テレビジョンデータの垂直ブランキング期間に多重しているのである。そして、サーバー１は、放送波信号から、補助データを復調して取り出すのである。
【００３９】
また、文字放送の一例として、米国のテレビジョン放送が採用するクローズドキャプションと呼ばれる字幕放送が、広く知られている。このクローズドキャプションとは、補助データを用いて、クローズドキャプション文字を多重して放送するものである。
さらに、地上波を放送している放送チャネル３１は、クローズドキャプションのデータフォーマットについては、第１フィールドまたは第２フィールドのＶＢＩが有する第２１番目の水平期間に、パリティビットを除く１４ビットのデータを挿入するようになっている。ここで、２種類の言語による字幕は、いずれも、第１フィールドを使用して伝送されるようになっており、第３の言語，第４の言語で書かれた字幕を放送するために用意されている第２フィールドが使用されることは少ない。
【００４０】
このため、第２フィールドのＶＢＩが有する第２１番目（１フレームの水平期間に通し番号を付したときには、第２８４番目）の水平期間が使用され、また、他の言語のクローズドキャプションやテキストデータに加えて、種々の情報を付加する手法が提案されている。この手法は、エクステンディッド・データ・サービス（Extended Data Service：以下、ＸＤＳと表記することがある。）と称され、数種類の伝送内容が既に規定されている。
【００４１】
図２は本発明の一実施形態に係るサーバー１の概略的なブロック図である。この図２に示すサーバー１は、アンテナ１１１ａ，１１１ｂ，チューナ１１２，映像音声デコーダ（以下、デコーダと称することがある。）１１６，大容量蓄積検索管理部（以下、蓄積部と称することがある。）１１４，再生部１１５，連動部１３２，映像音声補助信号編集部（以下、データ編集・出力部と称することがある。）１２１をそなえて構成されている。
【００４２】
ここで、チューナ１１２は、アンテナ１１１ａまたはアンテナ１１１ｂにて受信された放送波信号の周波数を選択して、選択された番組データを復調するものであり、また、ＣＡＴＶ局２０ｃ，電話網２６ａをそれぞれ介して入力された番組データを復調するものでもある。そして、番組データを復調してベースバンド信号を出力するようになっている。
【００４３】
次に、映像音声デコーダ１１６は、映像音声に関する複数の単位データからなる主データと単位データのそれぞれに付与された属性情報データを含む副データとを有するコンテンツデータを復調し、主データと副データとを出力するものであって、ＮＴＳＣデコーダ１１３，ＶＢＩデータデコーダ１２０を有する。
このＮＴＳＣデコーダ１１３は、コンテンツデータのうちの主データについて復調して主データを出力するものである。具体的には、ＮＴＳＣデコーダ１１３は、復調した番組データを輝度信号と色信号とに変換した映像音声データを出力するようになっている。
【００４４】
ここで、コンテンツとは、番組のほかに、映画作品，ビデオ作品などを意味する。また、主データは映像音声データであり、副データは補助データである。そして、本実施形態において、映像音声データは複数の単位映像音声データからなる。この映像音声データは、例えば図３（ａ）に示すように、複数の単位映像音声データ（例えば体操番組における「側屈」，「前屈」などの複数の運動場面）からなり、これらの単位映像音声データは、それぞれ、単位場面として、時間（秒）などの設定値を与えられるようになっている。また、図３（ａ）に示す「時間」，「回数」，「負荷」などは、いずれも、これらの単位映像音声データのそれぞれに付与された属性情報データ（番組属性情報データ）を意味する。そして、これらの「時間」，「回数」，「負荷」などの属性情報データが、まとまって副データとなるのである。
【００４５】
さらに、ＶＢＩデータデコーダ１２０（図２参照）は、垂直ブランキング期間（ＶＢＩ）に多重されている補助データをデコードするものである。この補助データは、電子番組表，文字多重信号および現在の番組を補完するために送信される補完データや、番組を構成する各場面に対応する健康データが含まれている。
従って、デコーダ１１６は、番組における各場面に対応する複数の単位映像音声データからなる映像音声データと、単位映像音声データのそれぞれに付与された番組属性情報データを含む補助データとを有する番組データを復調し、映像音声データと補助データとを出力するように構成されたことになる。
【００４６】
また、従って、デコータ１１６が、番組データを、ＮＴＳＣ方式を用いた無線信号から得るようになっており、さらに、デコータ１１６が、番組データを、有線方式または情報データが記録された記録媒体のうちから得るようになっている。
このように、放送・配信方式の種類によらず、また、サーバー１の設置場所や受信形態によらず、多数のユーザーを獲得できるようになる。
【００４７】
なお、以下、ＮＴＳＣデコーダ１１３，ＶＢＩデータデコーダ１２０をそれぞれ、デコータ１１３，デコータ１２０と略称することがある。
そして、蓄積部１１４は、デコーダ１１６から出力された主データと副データとを蓄積するものであり、この機能は例えばハードディスク，ＲＡＭにより実現される。すなわち、蓄積部１１４は、デコーダ１１６から出力された映像音声データと補助データとを蓄積するものである。
【００４８】
ここで、補助データとは、場面名，時間および場面内でのテレビジョンデータによる映像，音声およびテレビジョンデータとともに送信されてくる補助データである。換言すれば、補助データが、蓄積部１１４によって蓄積，検索および管理が行なわれるようになっている。
続いて、蓄積部１１４には、データ編集・出力部１２１が設けられている。このデータ編集・出力部１２１は、以下に説明する連動部１３２が出力する連動動作指示信号（指示信号）に基づいて蓄積部１１４に蓄積された副データを編集するとともに、主データを再生した再生データを出力するものである。ここで、指示信号とは、補助データと健康に関する生体情報データとのそれぞれに関連づけられ連動動作を指示するものである。具体的には、指示信号は、身体の負荷の増減に関する。すなわち、データ編集・出力部１２１は、連動部１３２が出力する指示信号に基づいて蓄積部１１４に蓄積された補助データを編集するとともに、映像音声データを再生した再生データを出力するのである。
【００４９】
また、このデータ編集・出力部１２１は、映像音声補助信号編集部として機能している。これらの機能はＣＰＵ（Central Processing Unit），ＲＯＭ（Read Only Memory），ＲＡＭ（Random Access Memory）およびＩＣ（Integrated Circuit）などが協働することにより実現される。
さらに、再生部１１５は、データ編集・出力部１２１から出力された再生データを再生するものである。この機能も、ＣＰＵ，ＲＯＭ，ＲＡＭおよびＩＣなどが協働することにより実現される。
【００５０】
続いて、連動部１３２は、蓄積部１１４に蓄積された副データと、健康に関する生体情報データとのそれぞれに関連づけられ、連動動作を指示する指示信号を出力するものである。すなわち、連動部１３２は、蓄積部１１４に蓄積された補助データと健康に関する生体情報データとのそれぞれに関連づけられ連動動作を指示する指示信号を出力するようになっている。この機能はＣＰＵ，ＲＯＭ，ＲＡＭおよびＩＣなどが協働することにより実現される。
【００５１】
この連動部１３２は、例えば図８に示すように、生体状態出力部１３２ａと、指示出力部１３２ｂとをそなえて構成されている。そして、連動部１３２は、番組を構成する各場面に対応する健康データと生体情報を関連づけた連動動作を指示するようになっている。これにより、連動部１３２は、種々の連動態様についても対応できる。なお、これについての詳細は、図３（ａ），（ｂ）を用いて後述する。
【００５２】
加えて、連動部１３２は、２以上の複数の生体情報データを入力されるようにもできる。従って、種々の生体情報に基づいて編集されるので、正確かつきめ細かい編集が可能となる。
なお、図２に示すもので、上述したものと同一の符号を有するものは同一のものまたは同様の機能を有するものなので、更なる説明を省略する。
【００５３】
これにより、アンテナ１１１ａ，１１１ｂを介して受信された放送波信号と、配信チャネル３１，３２を介して入力された番組データとが、それぞれ、サーバー１に入力される。そして、チューナ１１２にて選択されその選択された番組データが復調されるとともに、入力された番組データが復調される。この復調されたベースバンド信号は、ＮＴＳＣデコーダ１１３に入力されてデコードされ、輝度信号と色信号とに変換された映像音声データが出力されるようになっている。さらに、チューナ１１２から出力されるデータは、ＶＢＩデータデコーダ１２０にも入力され、補助データが出力される。
【００５４】
そして、ＮＴＳＣデコーダ１１３からの映像音声データとＶＢＩデータデコーダ１２０からの補助データとが、いずれも、蓄積部１１４に蓄積される。
ここで、ＶＢＩデータデコーダ１２０の出力のうち、番組を構成する各場面に対応する健康データは、順次、連動部１３２に入力される。また、リモコン装置１３１からのユーザーの手動入力と生体センサー１３０による生体情報とは、ともに、連動部１３２に入力される。
【００５５】
一方、ユーザーの生体情報（腰痛、胃痛などの体調、脈拍などの生体リズム）については、生体センサー１３０にてユーザーの生体情報が検出・測定され、また、リモコン装置１３１にてユーザーの生体情報がユーザー自身により手動入力され、これらの生体情報はいずれも、サーバー１に入力される。従って、連動部１３２が、体調および生体リズムに関する情報を、指示信号として出力するように構成されたことになる。
【００５６】
そして、サーバー１において、この入力された生体情報に基づくデータ処理により、テレビジョンデータ（例えば多重放送）がユーザーの身体に適するように再編集されるのである。
具体的には、連動部１３２にて、リモコン装置１３１からの生体情報と生体センサー１３０からの生体情報とに基づいて、予め重み付けされたパックプロパゲーション法によるニューラルネットにより、ユーザーの疲労の度合いなどの生体状態が得られ、この生体状態と番組を構成する各場面に対応する健康データとが順次、比較されるのである。
【００５７】
さらに、この連動部１３２にて、番組の各場面における所要時間の短縮，延長および削除，内容の変更を行なう指示信号が、順次、作成され、この指示信号がデータ編集・出力部１２１と再生部１１５とに入力される。
次に、データ編集・出力部１２１にて、その指示信号に基づいて蓄積部１１４に蓄積された副データが編集される。更に詳述すると、データ編集・出力部１２１は、連動部１３２からの指示信号に従って再生データが作成され、蓄積部１１４から、相当する番組または最後に記録されたこの体操番組の映像音声補助データを取り出し、その番組を順次送信されてくる編集方法により再編集し、新たな番組として蓄積部１１４に記録する。
【００５８】
そして、再生部１１５にて、連動部１３２からの指示信号により、この順次編集された新たな番組（例えば体操番組）に相当する映像音声データと補助データとが、蓄積部１１４によって、順次、取り出されて再生される。
このように、放送された番組データが、各ユーザーに適した内容に再編集されて、テレビジョン受像器２に放映される。
【００５９】
次に、本発明のサーバー１が、健康に関する番組として体操番組を例にして、処理を説明する。
本発明のサーバー１は、体操番組（例えば「ラジオ体操」のようなもの）の番組において、番組に登場する演技者の動きを、視聴者が見て、その動きにあわせて体操するといった態様である。以下、具体的に、体操番組の再編集の手順を説明する。
【００６０】
放送する体操番組は、そのテレビジョンデータの補助データに、各場面に対応する健康データとして、場面名，時間，場面内での繰り返し回数および身体に対する負荷を予め付加して送信している。この補助データには、各場面に対応する健康データ以外に、電子番組表，文字多重信号および現在放送中の番組を補完するために送信される補完データなどを含めた状態で送信されている。
【００６１】
図３（ａ）は本発明の一実施形態に係る補助データの一例を示す図であり、この図３（ａ）に示す補助データに含まれるテーブル４２は、体操番組に関する補助データの健康データの一例である。番組の各場面は、側屈，前屈，手足を広げて跳躍，上方腕伸ばし，自転車運動（寝転んで）および座位上体前屈などの場面が例示されている。そして、これらの各場面のそれぞれに対して、場面が続く時間（秒）、場面が繰り返される回数（回）およびユーザーに対する体力負荷の大きさが設定されている。この補助データは、放送・配信する送信側によって、送信データに付加されるようになっている。
【００６２】
次に、送信側において、補助データの中に、各場面に対応する健康データを付加する方法について説明する。
本発明の映像音声データの生成方法は、映像音声に関する複数の単位データからなる主データを送信する期間と、単位データのそれぞれに付与された属性情報データを含む副データを送信する期間とを有する映像音声データの生成方法である。すなわち、本発明の映像音声データの生成方法は、ＸＤＳの伝送フォーマット（ＸＤＳフォーマット）を利用して各場面に対応する健康データを伝送するものである。
【００６３】
さらに詳述すると、まず、送信側は、番組における各場面に対応する単位映像音声データからなる映像音声データを生成する（生成ステップ）。
次に、送信側は、各場面に付与された番組属性情報データを含む補助データを垂直ブランキング期間における第２１番目の水平区間に、映像音声データに重畳する（補助データ重畳ステップ）。
【００６４】
そして、送信側は、補助データ重畳ステップにて補助データを重畳された映像音声データを送信するのである（映像音声データ送信ステップ）
このように、ユーザーは、その日，その時刻におけるユーザー自身の体調に応じて、放送番組をアレンジできるようになる。
また、図３（ｂ）は連動部１３２による処理をした後のものであって、負荷の回数が変更されており、これについては後述する。
【００６５】
そして、送信側から、番組データが、放送チャネル３０，３１または配信チャネル３２，３３を介して送出される。この番組データは、映像音声データとして制御データとともに、ＸＤＳフォーマットに基づいて伝送される。このＸＤＳフォーマットと、データの挿入箇所とについて、図４〜図６（ａ），（ｂ）を用いて説明する。
【００６６】
図４はＸＤＳフォーマットの伝送データ波形の一例を示す図である。この図４に示すデータ波形は、映像音声データに相当する部分のデータであって、１バイトの第１キャラクタ（キャラクタ１）と１バイトの第２キャラクタ（キャラクタ２）とに分割されて送信されるようになっている。この第１キャラクタは、第２キャラクタに書き込まれたデータの内容を識別するための識別コードが書き込まれる領域である。
【００６７】
図５はＸＤＳフォーマットのビット配置を示す図である。この図５に示すＸＤＳフォーマット３９は、第１キャラクタ用の第１フィールド４０と、第２キャラクタ用の第２フィールド４１とを有する。そして、送信側は、各場面に対応する健康データ（健康上のデータ）を、第１キャラクタが０１ｈ〜０４ｈの場合における第２フィールド４１の第４ビットに挿入するようになっている（色を濃くしたところ）。なお、ｈは１６進数を表す。
【００６８】
ここで、第１フィールド４０は、１６種類の識別コード（００ｈ〜７Ｅｈ）が書き込まれる領域である。例えば、００ｈはＮＯＰ（No Operation）を意味し、０１ｈ〜０Ｆｈは、それぞれ、ＸＤＳフォーマットのデータの開始，継続および終了を意味している。更に詳述すると、０１ｈ（開始）は現在放送している番組に関する情報の開始を意味し、０２ｈ（制御）は現在放送している番組に関する情報の継続を意味し、０３ｈ（開始）は将来放送する番組に関する情報の開始を意味する。また、０４ｈ（制御）は将来放送する番組に関する情報の継続を意味し、０５ｈ（開始）はそのチャネルに関する情報の開始を意味し、そして、０Ｆｈ（終了）はＸＤＳフォーマットのデータの終了を意味する。なお、０６ｈ〜０Ｆｈのそれぞれの意味についても、規定されているがその詳細についての説明を省略する。
【００６９】
また、図５に示す第２フィールド４１は、既に規定されている領域と未だ規定されていない領域とを有する。ここで、第２フィールド４１の第７ビットは、パリティ用のものであり、データは、第２キャラクタの０〜２の３ビットと、３〜６の４ビットとに挿入されるようになっている。すなわち、第２ビットと第３ビットとの間が、伝送情報の区切りに対応する。
【００７０】
そして、送信側は、図５に示す第２フィールド４１の色を濃くした領域に所望のデータを挿入するのである。具体的には、第１キャラクタの識別コードが０１ｈの場合において、第２キャラクタの未定義領域は、０８ｈ，０Ａｈ，０Ｂｈ，１８ｈ〜１Ｆｈ，２ｘｈおよび３ｘｈ〜７ｘｈである（ｘはドウントケアを表す。）。また、第１キャラクタの識別コードが０５ｈの場合は、第２キャラクタの０１ｈ〜０３ｈは、いずれも、書き込むべき内容が規定されており、残りのコードについては、規定されていない。
【００７１】
従って、放送局２０ｂは、規定されていない領域に、所望のデータを挿入し、上述したＸＤＳフォーマットの例以外のフォーマットを用いて、各場面に対応する健康データを伝送することもできる。
また、各番組の場面に対応する健康データが、ＸＤＳフォーマットのデータの一部として伝送されるので、送信側は、既に規定された領域を使用せず、既存のフォーマットを用いて伝送できる。
【００７２】
次に、図６（ａ），（ｂ）を用いて、ＸＤＳフォーマットのデータの一部として各場面に対応する健康データを伝送する具体例について説明する。
図６（ａ）は本発明の一実施形態に係る第１キャラクタの一例を示す図であり、図６（ｂ）は本発明の一実施形態に係る第２キャラクタの一例を示す図である。これらの図６（ａ），（ｂ）にそれぞれ示す８種類の第１キャラクタ及び第２キャラクタは、いずれも、８種類の時刻（時刻１〜８と付したもの）において、送信側より、時間をずらして送信されたものである。また、図６（ａ），（ｂ）に示す２点鎖線は、図５に示す第２キャラクタのビットの区切りに対応する。
【００７３】
そして、放送局２０ｂは、データ開始を意味するために時刻１において０１ｈを挿入し、かつ、データ終了を意味するために時刻８において０Ｆｈを挿入し、そして、その間の時刻２〜７に、各場面に対応する健康データを挿入するようになっている。
さらに詳述すると、放送局２０ｂは、時刻１において第１キャラクタに０１ｈ（開始：現在放送中）を挿入しかつ第２キャラクタに未定義データである４０ｈを挿入する。そして、時刻２〜７において、各場面に対応する健康データを、それぞれ、「ＪＵＭＰ，１６，８，４」と書き込むのである。これらのデータ内容は、それぞれ、場面名，時間，場面内での繰り返し回数および身体に対する負荷を表している。また、放送局２０ｂは、時刻８において、データの最後を表すために、それぞれ、０Ｆｈで表される終了コード，ｃｈｃｋｓｕｍ（チェックサム）を付加するのである。
【００７４】
これにより、サーバー１は、受信してデコードし、０１ｈコードを認識することによって、その後のデータが、各場面に対応する健康データ（健康上のデータ）が、可変長の文字列を用いて伝送されることを知り、また、例えば「ＪＵＭＰ（ジャンプすること）」というような文字列の伝送を知るのである。
そして、このように、サーバー１の連動部１３２は、その後のデータ（第１キャラクタおよび第２キャラクタ）を各場面に対応する健康データとして、処理できる。すなわち、連動部１３２は、可変長フレームを単位として、各場面に対応する健康データを出力でき、これにより、ユーザーは自由に番組を編集できるようになる。
【００７５】
次に、クローズドキャプションデータの伝送について、図７を用いて説明する。このクローズドキャプションとは、米国の非営利団体が開発した公式文字放送である。ユーザーは、専用のデコーダを用いて、テレビ画面に英語字幕について、表示／非表示を自在に切り換え可能となっている。従って、セリフやナレーションのほとんどがテレビ画面に字幕表示されるので、耳の不自由な人がテレビやビデオを視聴できるようになり、また、英語を第２外国語とする人の英語学習などにも利用されている。
【００７６】
図７は本発明の一実施形態に係るフレームフォーマットの一例を示す図である。この図７に示す伝送データ（フレームｎ−１〜ｎ＋ｉ＋３）は、それぞれ、１６ビットを有し、各フレームの第２フィールドにおける第２１番目の水平期間にデータが付加情報として重畳されるようになっている。なお、ｎ，ｉはいずれも自然数を表す。
【００７７】
この図７に示すフレームｎ，フレームｎ＋１，フレームｎ＋ｉ＋１，フレームｎ＋ｉ＋２およびフレームｎ＋ｉ＋３の各フレームの第２フィールドにおける第２１番目の水平期間には、ＸＤＳフォーマットの伝送データが挿入されるようになっている。
従って、補助データ重畳ステップが、補助データを、クローズドキャプションエクステンディッド・データ・サービスのフォーマット（ＸＤＳフォーマット）に従うように構成されたことになる。すなわち、上記第２１番目の水平区間に重畳する生体情報を関連づけた連動動作を実行するための補助データが、ＸＤＳフォーマットに従っている。
【００７８】
これにより、送信側は、既存のテレビジョン放送のシステムフォーマットを何ら変更せずに、各ユーザーの健康状態に適した番組を提供できる。そして、送信側からの番組データは、サーバー１にて受信されるのである。
また、図７において、フレームｎ−１，フレームｎ＋２およびフレームｎ＋ｉまでの連続する２フレームには、クローズドキャプションのデータが挿入されるようにもなっている。なお、以下の説明においては、ｎ番目のフレームを、フレームｎと称し、他のフレームについても同様に例えばフレームｎ＋１のように称することがある。
【００７９】
さらに、クローズドキャプションのデータは、ＸＤＳフォーマットのデータよりも優先されるように設定されている。なお、クローズドキャプションのデータが重畳されていないフレームの第２１番目の水平期間には、ＸＤＳフォーマットのデータが挿入される。
このように、クローズドキャプションのデータを送信できるとともに、ＸＤＳフォーマットのデータをも確実に送信できる。
【００８０】
次に、受信側において、体操番組の番組編集について説明する。
図４に示すＸＤＳフォーマットにおいて、ｎ番目のフレーム（フレームｎ）の第１キャラクタが、ＸＤＳフォーマットの開始を意味するコード（０１ｈ〜０Ｅｈのいずれか）であり、その場合は第２キャラクタにはＸＤＳフォーマットのタイプコードが書き込まれる。例えばタイプコードが「時刻情報」であるときは、フレームｎ＋１とフレームｎ＋ｉ＋２のそれぞれに含まれるデータが時刻を表すようになっている。
【００８１】
また、ＸＤＳフォーマットのデータがクローズドキャプションデータにより中断した場合は、継続を示すデータの第１キャラクタが、フレームｎ＋ｉ＋１に書き込まれる。そして、終了コード０Ｆｈが、フレームｎ＋ｉ＋３に書き込まれる。このとき、第２キャラクタには、ＸＤＳフォーマットのデータのエラーを検出するためにチェックサムが書き込まれる。
【００８２】
従って、送信側において、補助データを重畳するに当たり（補助データ重畳ステップ）、補助データが、第２フィールドの垂直ブランキング期間における第２１番目の水平区間に重畳される（水平区間重畳ステップ）。そして、補助データが生体情報データに関連づけられたことを示す識別情報が第２１番目の水平区間に重畳されるのである（識別情報重畳ステップ）。すなわち、連動動作を実行するための補助データが重畳されるとともに、生体情報を関連づけた連動動作を実行するための補助データ（補助信号）が上記副次的情報と区別するための識別情報が重畳される。
【００８３】
図２において、送信側が送信した体操番組は、サーバー１のチューナ１１２にて体操番組が復調され、ＮＴＳＣデコーダ１１３とＶＢＩデータデコーダ１２０との両方に入力される。続いて、ＮＴＳＣデコーダ１１３の出力とＶＢＩデータデコーダ１２０との出力が、いずれも蓄積部１１４に蓄積され、この体操番組が蓄積される。すなわち、放送された番組が健康に関する番組であり、デコーダ１１６が、番組における各場面に対応し場面名，時間，単位場面の繰り返し回数および身体の負荷に関する健康データを、補助データとして出力するようになっている。また、ＶＢＩデータデコーダ１２０の出力のうち，番組を構成する各場面に対応する健康データは、連動部１３２に順次送信される。なお、補助データは、垂直ブランキング期間（ＶＢＩ）に多重されているものである。
【００８４】
これにより、補助データと生体情報とが、それぞれ、詳細に関連づけられるので、編集再生が一層、容易になる。
図８は本発明の一実施形態に係る連動部１３２のブロック図である。この図８に示す連動部１３２は、生体状態出力部１３２ａと、指示出力部１３２ｂとをそなえて構成されている。ここで、生体状態出力部１３２ａは、生体情報データに基づいて、生体状態に関する生体状態データを出力するものであって、生体情報データと生体状態データとを関連づけて蓄積するテーブル（第１テーブル）４３からなる。このテーブル４３は、ハードディスクやＲＯＭにより実現される。
【００８５】
図９は本発明の一実施形態に係るテーブル４３に記録された情報の一例を示す図である。この図９に示すテーブル４３は、「生体情報」と「入力元」と「生体状態」との２種類の欄を設けている。生体情報とは、「腰が痛い」，「サッカーをした」，「中程度の疲労」，「寝不足」などのユーザーの身体に何らかの影響を与える可能性がある情報である。また、入力元とは、リモコン装置１３１および生体センサー１３０からの入力を識別するための情報である。さらに、生体状態とは、「疲労度の大きさ」，「腰痛などの自覚症状」，「脈拍」などの身体の状態を表す情報であり、医学的に診断できる情報である。
【００８６】
ユーザーは、リモコン装置１３１を用いて、「本日は腰が痛い」，「昨日はサッカーした」といった生体情報を、手動入力する。また、この入力と同時に、生体センサー１３０による「脈拍」などの医学的データが連動部１３２に入力される。
そして、連動部１３２のテーブル４３において、生体センサー１３０とリモコン装置１３１とのそれぞれから入力された生体情報は、予め、入力された生体情報に対応して重み付けされたパックプロパゲーション法によるニューラルネットによって処理され、ユーザーの身体疲労の程度（図９における生体状態）が得られる。この場合には中程度の疲労と判断されている。
【００８７】
これにより、ユーザーは、リモコン装置１３１からの情報と生体センサー１３０からの情報とに基づく判断により、生体情報と生体状態とを関連づけるテーブル４３により生体状態を得ることができる。
次に、テーブル４３から出力された生体状態と、ユーザーにとって最適な負荷の体操メニューとを関連づけたテーブルを用いることによって、ユーザーは、体操内容に対応した負荷の増減値を得られるようになっている。
【００８８】
また、図８に示す指示出力部１３２ｂは、生体状態データと健康データとを比較し、指示信号を出力するものであって、比較部４５と、テーブル（第２テーブル）４４とをそなえて構成されている。
ここで、比較部４５は、生体状態データと健康データとを比較して比較結果を出力するものであり、この機能はＣＰＵ，ＲＯＭ，ＲＡＭなどにより実現される。また、テーブル４４は、比較結果に基づいて、各場面における所要時間の短縮，延長および削除，内容の変更に関する増減値を、指示信号として蓄積するものであり、ＲＯＭなどにより実現される。
【００８９】
図１０は本発明の一実施形態に係るテーブル４４に記録された情報の一例を示す図であり、このテーブル４４は生体状態と体操とが関連づけられて記録されている。この図１０に示すテーブル４４は、生体状態と体操内容（体操メニュー）と負荷の軽減との３種類が設けられている。そして、ユーザーは、このテーブル４４の記録内容に基づいて、負荷の増減値から、各場面の映像編集方法を得られるようになっている。例えば、連動部１３２は、ユーザーの「生体状態」が「腰痛」の場合に、「飛び上がる体操」を体操内容から削除するのである。
【００９０】
また、連動部１３２は、体操内容のそれぞれの最小繰り返し回数は４回になるように、予め、初期値として設定している。そして、連動部１３２は、負荷が１だけ増加した場合には、最小繰り返し回数分の映像音声を追加すべく、データ編集・出力部１２１と再生部１１５とのそれぞれに対して指示信号を入力する。例えば、連動部１３２は、ユーザーの生体状態が疲労なしの場合に、手足を延ばす体操については、最小繰り返し回数分の映像を１回増加させるのである。
【００９１】
一方、連動部１３２は、負荷が１だけ減少した場合は、最小繰り返し回数分の映像を減少する旨の指示信号を、データ編集・出力部１２１に入力する。例えば、連動部１３２は、図１０において、ユーザーの生体状態が腰痛の場合に、手足を大きく動かす体操については、最小繰り返し回数だけ、映像を１回減らすのである。
【００９２】
また、連動部１３２は、映像の繰り返し回数が最小繰り返し回数以下の場合は、データ編集・出力部１２１と再生部１１５とのそれぞれに対して、映像音声の再生時間を元の再生時間よりも２０％増加させ、削除の場合は、映像を用いない旨の指示信号を入力する。
図３（ｂ）は本発明の一実施形態に係る連動処理後のデータを説明するための図である。この図３（ｂ）に示すテーブル４２´は、連動部１３２が処理した後のものが示されている。すなわち、図３（ｂ）には、図３（ａ）にて例示した健康データに対して連動部１３２が負荷の増減を適用し、新しい繰り返し回数，編集方法および編集後の映像の時間が得られたものが示されている。ここで、各場面に対応する健康データは、番組の場面の進行に対応して順次、放送局から送信されてくるため、編集方法も順次、連動部１３２からデータ編集・出力部１２１に送信される。
【００９３】
なお、１．５回の編集とは、元の場面に、その元の場面が有する時間の５割（５０％）の時間を有する新しい場面を作成することであ。また、０．５回の編集とは、元の場面が有する時間の５割の時間を有する新しい場面を作成することであり、削除とは、その場面を用いないことを意味する。
このように、ユーザーが、健康に関する番組を再編集することができる。すなわち、ユーザーは、腰痛や睡眠不足などの情報をサーバー１に入力し、サーバー１が多重放送の中から、自分の身体の不調部位について、ユーザーにとって負荷のかかる運動が軽減されるように、受信した番組を蓄積しているメモリにアクセスすることによって、その番組を再編集できる。
【００９４】
また、このようにして、各ユーザーは、それぞれが視聴しているテレビジョン画面に、自分の体調を反映させることができ、各ユーザーごとに個性化された体操を実行できるのである。
上述の構成により、本発明の映像音声データの編集方法について、図１１を用いて説明する。図１１は本発明の一実施形態に係る映像音声データの編集方法を説明するためのフローチャートである。
【００９５】
本発明の映像音声データの編集方法は、映像音声に関する複数の単位データからなる主データを送信する期間と、単位データのそれぞれに付与された属性情報データを含む副データを送信する期間とを有するものである。
まず、図１１に示すステップＡ１において、サーバー１のデコーダ１１６は、番組における各場面に対応する単位映像音声データからなる映像音声データと、各場面に付与された番組属性情報データを含む補助データとを有する番組データを復調し、映像音声データと補助データとを出力する（デコードステップ）。
【００９６】
次に、ステップＡ２において、デコーダ１１６は、デコードステップにて出力された映像音声データと補助データとを、データ蓄積用の蓄積部１１４に蓄積する（蓄積ステップ）。
そして、ステップＡ３において、連動部１３２は、蓄積部１１４に蓄積された補助データと健康に関する生体情報データとのそれぞれに関連づけられ、連動動作を指示する指示信号を出力する（連動動作ステップ）。
【００９７】
さらに、ステップＡ４において、データ編集・出力部１２１は、連動動作ステップにて出力された指示信号に基づいて蓄積部１１４に蓄積された補助データを編集する。具体的には、データ編集・出力部１２１は、その指示信号に基づいて蓄積部１１４に蓄積された映像音声データと補助データとを編集し再生データとして蓄積部１１４に書き込む（補助データ編集ステップ）。
【００９８】
続いて、ステップＡ５において、連動動作ステップにて出力された指示信号に基づいて映像音声データを再生した再生データが出力される（映像音声データ出力ステップ）。
そして、ステップＡ６において、再生部１１５は、映像音声データ出力ステップにて出力された再生データを再生し、映像音声が再生されるのである（再生ステップ）。
【００９９】
このようにして、視聴者は、ユーザーの一人一人に対応した体操番組を生成することができる。
ところで、体操番組のほかに、料理番組を用いた場合でも実施可能である。ここで、番組の内容が変更になっても、上記構成と同様な構成で実施できる（図２参照）。
【０１００】
本発明の映像音声データの編集方法は、まず、サーバー１のデコーダ１１６が、番組における各場面に対応する単位映像音声データからなる映像音声データと、各場面に付与された番組属性情報データを含む補助データとを有する番組データを復調し、映像音声データと補助データとを出力する（デコードステップ）。
次に、デコーダ１１６は、デコードステップにて出力された映像音声データと補助データとを、データ蓄積用の蓄積部１１４に蓄積する（蓄積ステップ）。
【０１０１】
そして、ステップＡ３において、連動部１３２は、蓄積部１１４に蓄積された補助データと健康に関する生体情報データとのそれぞれに関連づけられ、連動動作を指示する指示信号を出力する（連動動作ステップ）。これにより、ユーザーが、消化不良などの情報をサーバー１に入力しておくのである。
さらに、データ編集・出力部１２１は、連動動作ステップにて出力された指示信号に基づいて蓄積部１１４に蓄積された補助データを編集する（補助データ編集ステップ）。これにより、サーバー１が、多重放送の中から、消化の悪い材料や調理方法などを削除し、消化を促進するようなレシピに再編集し、各ユーザーのテレビ画面に表示する。
【０１０２】
続いて、ステップＡ５において、連動動作ステップにて出力された指示信号に基づいて映像音声データの再生データが出力される（映像音声データ出力ステップ）。
そして、ステップＡ６において、再生部１１５は、映像音声データ出力ステップにて出力された再生データを再生するのである（再生ステップ）。
【０１０３】
このように、料理番組であっても、本発明を実施できる。
さらに、このように、番組内容は各ユーザーに特化された内容になっており、サービスの著しい向上となる。
そして、このように、各家庭、職場などにおいて、ユーザー向けの適正な運動処方を報知できる装置がなくても、運動処方を報知できるようになり、また、動画像を用いているので、ユーザーは飽きずに、長時間，長期間にその装置を利用できるようになる。
【０１０４】
このようにして、ユーザーと放送局との双方にとって利用価値が向上し、利便性が得られ、かつ、補助データを用いることにより、既存のテレビジョン放送にて用いられるシステムのフォーマットを何ら変更せずに、所望のサービスを提供することができる。
このように、ユーザーは、映像音声補助データに含まれる番組を構成する各場面に対応する健康データと、生体情報の解析結果からのユーザーの生体状態とに基づいて、映像音声補助データを編集することができる。
【０１０５】
従って、このようにして、ユーザーは容易にそのときのユーザーの生体状態にあわせて編集された映像音声補助データを視聴することができる。
また、このようにして、テレビジョンデータ内に含まれる補助データと、生体センサーから得られる生体情報との関連処理、映像，音声および補助データの編集再生が可能となるので、放送局が各ユーザーの健康状態に適したデータを送信できる。このため、関連処理，映像，音声および垂直ブランキング期問に多重されてくる補助データの編集再生を可能とし、かつ、各ユーザーの健康状態に適するような番組を再編集・再生できるようにし、これにより、ユーザーと放送局との双方にとって高い利用価値が得られるようになる。
【０１０６】
（Ｂ）その他
本発明は上述した実施態様に限定されるものではなく、本発明の趣旨を逸脱しない範囲で、種々変形して実施することができる。
放送方式は、ＮＴＳＣ方式のほかに、ＰＡＬ方式，ＳＥＣＡＭ方式，ディジタル方式およびアナログ方式を用いて実施することも可能である。
【０１０７】
なお、図５に示す第１キャラクタの識別コードは、００ｈ〜０Ｆｈのほかにも、クローズドキャプションおよびテキストデータのサイズ，色などを制御するためのコントロールコードや、標準文字が書き込まれている。これらについての詳細な説明は省略する。
また、回数や生体情報や生体状態の項目は例示である。例えば、図１０に示す各体操内容についての最小繰り返し回数は４に限らず、設計方針に応じて種々変更することができる。設計方針に応じて種々変更することができる。さらに、図面における項目は例示であって、これらと異なる項目を追加，変更または削除しても本発明の優位性は何ら損なわれるものではない。
【０１０８】
【発明の効果】
以上詳述したように、本発明のホームサーバー装置によれば、映像音声に関する複数の単位データからなる主データと単位データのそれぞれに付与された属性情報データを含む副データとを有するコンテンツデータを復調し、主データと副データとを出力するデコード部と、デコード部から出力された主データと副データとを蓄積する蓄積部と、蓄積部に蓄積された副データと、健康に関する生体情報データとのそれぞれに関連づけられ、連動動作を指示する指示信号を出力する連動部と、連動部が出力する指示信号に基づいて蓄積部に蓄積された副データを編集するとともに、主データを再生した再生データを出力するデータ編集・出力部とをそなえて構成されているので、補助データに含まれる番組を構成する各場面に対応する健康データを用いて、生体情報の解析結果からのユーザーの生体状態により、映像音声補助データを編集することができる。従って、ユーザーは容易にそのときのユーザーの生体状態にあわせて編集された映像音声補助データを視聴することができる（請求項１）。
【０１０９】
また、本発明のホームサーバー装置によれば、番組における各場面に対応する複数の単位映像音声データからなる映像音声データと、単位映像音声データのそれぞれに付与された番組属性情報データを含む補助データとを有する番組データを復調し、映像音声データと補助データとを出力するデコード部と、デコード部から出力された映像音声データと補助データとを蓄積する蓄積部と、蓄積部に蓄積された補助データと健康に関する生体情報データとのそれぞれに関連づけられ連動動作を指示する指示信号を出力する連動部と、連動部が出力する指示信号に基づいて蓄積部に蓄積された補助データを編集するとともに、映像音声データを再生した再生データを出力するデータ編集・出力部とをそなえて構成されているので、ユーザーは自分の身体の不調部位について負荷のかかる運動が軽減されるようにその番組を再編集できる（請求項２）。
【０１１０】
さらに、データ編集・出力部から出力された再生データを再生する再生部をそなえて構成されてもよく、このようにすれば、各ユーザーはそれぞれ視聴しているテレビジョン画面に表示させることができ、各ユーザーごとに個性化された体操を実行できる（請求項３）。
そして、前記番組が健康に関する番組であり、デコード部が、番組における各場面に対応し場面名，時間，単位場面の繰り返し回数および身体の負荷に関する健康データを、補助データとして出力するように構成することもでき、このようにすれば、補助データと生体情報とが、詳細に関連づけられるので、編集再生が一層、容易になる（請求項４）。
【０１１１】
また、前記連動部は、体調および生体リズムに関する情報を、指示信号として出力するように構成されてもよく（請求項５）、このようにすれば、連動部が可変長フレームを単位として、各場面に対応する健康データを出力できるので、ユーザーは自由に番組を編集できる。
さらに、生体情報データに基づいて、生体状態に関する生体状態データを出力する生体状態出力部と、生体状態データと健康データとを比較し、指示信号を出力する指示出力部とをそなえて構成することもでき、このようにすれば、ユーザーが所望の機会に番組を取り出して利用できる（請求項６〜８）。
【０１１２】
さらに、前記連動部は、複数の生体情報データを入力されるように構成することもでき、このようにすれば、種々の生体情報に基づいて編集されるので、正確かつきめ細かい編集が可能となる（請求項９）。
そして、前記デコード部は、番組データを、無線信号から得るようにしたり、あるいは、有線方式または情報データが記録された記録媒体から得るように構成されてもよく、このようにすれば、方式によらず、また、設置場所や受信形態によらず、多数のユーザーを獲得できるようになる（請求項１０，請求項１１）。
【０１１３】
加えて、本発明の映像音声データの編集方法によれば、主データと副データとを有するコンテンツデータを復調し、主データと副データとを出力するデコードステップと、主データと副データとをデータ蓄積用の蓄積部に蓄積する蓄積ステップと、副データと生体情報データとのそれぞれに関連づけられ、連動動作を指示する指示信号を出力する連動動作ステップと、指示信号に基づいて副データを編集する副データ編集ステップと、指示信号に基づいて主データを再生した再生データを出力するデータ編集・出力ステップと、主データを再生する再生ステップとをそなえて構成されているので、テレビジョンデータに含まれる補助データと、生体センサーから得られる生体情報との関連処理，映像，音声および補助データの編集再生を行なうことができ、各ユーザーの健康状態に適するようにデータを送信することができる（請求項１２）。
【０１１４】
また、本発明の映像音声データの編集方法によれば、映像音声データと、補助データとを有する番組データを復調し、映像音声データと補助データとを出力するデコードステップと、映像音声データと補助データとを、データ蓄積用の蓄積部に蓄積する蓄積ステップと、蓄積部に蓄積された補助データと健康に関する生体情報データとのそれぞれに関連づけられ、連動動作を指示する指示信号を出力する連動動作ステップと、指示信号に基づいて蓄積部に蓄積された補助データを編集する補助データ編集ステップと、指示信号に基づいて映像音声データを再生した再生データを出力する映像音声データ出力ステップと、再生データを再生する再生ステップとをそなえて構成されているので、視聴者は、ユーザーの一人一人に対応した体操番組を生成することができる（請求項１３）。
【０１１５】
さらに、本発明の映像音声データの生成方法によれば、番組における各場面に対応する単位映像音声データからなる映像音声データを生成する生成ステップと、各場面に付与された番組属性情報データを含む補助データを垂直ブランキング期間における所定の水平区間に、映像音声データに重畳する補助データ重畳ステップと、補助データを重畳された映像音声データを送信する映像音声データ送信ステップとをそなえて構成されているので、例えば、セリフやナレーションのほとんどがテレビ画面に字幕表示されるので、耳の不自由な人がテレビやビデオを視聴できるようになり、また、英語を第２外国語とする人の英語学習などにも利用されている（請求項１４）。
【０１１６】
加えて、前記補助データ重畳ステップは、補助データを、第２フィールドの垂直ブランキング期間における所定の水平区間に重畳する水平区間重畳ステップと、補助データが生体情報データに関連づけられたことを示す識別情報を所定の水平区間に重畳する識別情報重畳ステップとをそなえて構成されてもよく、このようにすれば、例えば既存のテレビジョン放送におけるシステムのフォーマットを何ら変更せずに、各ユーザーの健康状態に適した番組を提供できる（請求項１５，請求項１６）。
【図面の簡単な説明】
【図１】本発明の一実施形態に係る放送・配信システムの構成図である。
【図２】本発明の一実施形態に係るサーバーの概略的なブロック図である。
【図３】（ａ）は本発明の一実施形態に係る補助データの一例を示す図であり、（ｂ）は本発明の一実施形態に係る連動処理後のデータを説明するための図である。
【図４】ＸＤＳフォーマットの伝送データ波形の一例を示す図である。
【図５】ＸＤＳフォーマットのビット配置を示す図である。
【図６】（ａ）は本発明の一実施形態に係る第１キャラクタの一例を示す図であり、（ｂ）は本発明の一実施形態に係る第２キャラクタの一例を示す図である。
【図７】本発明の一実施形態に係るフレームフォーマットの一例を示す図である。
【図８】本発明の一実施形態に係る連動部のブロック図である。
【図９】本発明の一実施形態に係る生体状態と体操とを関連づけるテーブルに記録された情報の一例を示す図である。
【図１０】本発明の一実施形態に係るテーブルに記録された情報の一例を示す図である。
【図１１】本発明の一実施形態に係る映像音声データの編集方法を説明するためのフローチャートである。
【符号の説明】
１  ホームサーバー装置
２  テレビジョン受像器
２０ａ，２０ｂ  放送局
２０ｃ  ＣＡＴＶ局
２０ｄ  データ配信会社
２１ａ  ＢＳ
２１ｂ  電波塔
２１ｃ  光ファイバ
２３  蓄積装置
２４  放送・配信システム
２５  受信装置
２６ａ  電話網
２６ｂ  インターネット網
３０，３１  放送チャネル
３２，３３  配信チャネル
３９  ＸＤＳフォーマット
４０  第１フィールド
４１  第２フィールド
４２，４２´，４３，４４  テーブル
４５  比較部
１１１ａ，１１１ｂ  アンテナ
１１２  チューナ
１１３  ＮＴＳＣデコーダ
１１４  蓄積部（大容量蓄積検索管理部）
１１５  再生部
１１６  映像音声デコーダ
１２０  ＶＢＩデータデコーダ
１２１  データ編集・出力部（映像音声補助信号編集部）
１３０  生体センサー
１３１  リモコン装置
１３２  連動部
１３２ａ  第１メモリ
１３２ｂ  第２メモリ
【図１】
0004427909.tif 000002
【図２】
0004427909.tif 000003
【図３】
0004427909.tif 000004
【図４】
0004427909.tif 000005
【図５】
0004427909.tif 000006
【図６】
0004427909.tif 000007
【図７】
0004427909.tif 000008
【図８】
0004427909.tif 000009
【図９】
0004427909.tif 000010
【図１０】
0004427909.tif 000011
【図１１】
0004427909.tif 000012